(57)【要約】例示的なボーディングブリッジのトンネル部移動装置は、第１トンネル部、第２トンネル部、第３トンネル部、を順に備えたトンネルを有し、第２トンネル部および第３トンネル部が第１トンネル部を基準として互いに接触かつ接続されるように移動可能である。この装置は、一端が第１トンネル部に接続されるとともに他端が第３トンネル部に接続された第１ロープを含む。第１プーリは、第１ロープの両端ではなく上記他端へ向かって離れた位置において第２トンネル部に固定的に取り付けられ、第１ロープが巻き掛けられるとともに、第１ロープの上記他端の移動変位に応じて係止されて移動する。第２ロープ記第１ロープとは別に設けられ、一端が第１トンネル部に接続されるとともに他端が第３トンネル部に接続される。第２プーリが、第２ロープの両端ではなく上記一端に向かって離れた位置において第２トンネル部に固定的に取り付けられ、第２ロープが巻き掛けられるとともに、第２ロープの上記他端の移動変位に応じて係止されて移動する。
2011506206.tif 000002
【特許請求の範囲】
【請求項１】
第１トンネル部、第２トンネル部、第３トンネル部、を順に備えたトンネルを有し、第２トンネル部および第３トンネル部が第１トンネル部を基準として互いに接触かつ接続されるように移動可能であるボーディングブリッジのトンネル部移動装置であって、
一端が上記第１トンネル部に接続されるとともに他端が上記第３トンネル部に接続された第１ロープと、
上記第１ロープの上記他端からトンネル長の伸長方向に離れた位置において上記第２トンネル部に固定的に取り付けられ、上記第１ロープが巻き掛けられるとともに、上記第１ロープの上記他端の移動変位に応じて係止されて移動する第１プーリと、
上記第１ロープとは別に設けられ、一端が上記第１トンネル部に接続されるとともに他端が上記第３トンネル部に接続された第２ロープと、
上記第２ロープの上記一端からトンネル長の縮小方向に離れた位置において上記第２トンネル部に固定的に取り付けられ、上記第２ロープが巻き掛けられるとともに、上記第２ロープの上記他端の移動変位に応じて係止されて移動する第２プーリと、
を備えてなるボーディングブリッジのトンネル部移動装置。
【請求項２】
上記第１ロープおよび上記第２ロープは、ロープ部材およびばね部材を含み、
上記ロープ部材は、延びており、かつ、第１ロープおよび第２ロープの両端部が第１トンネル部および第３トンネル部の所定位置に固定されるように、その端末部が、第１トンネル部および第３トンネル部の底部プレートに取り付けたロープ支持部材に設けられてなる貫通孔を通るように構成され、
上記ばね部材は、上記ロープ支持部材を貫通したロープ部材の端末部を、ロープ部材の延びる方向と反対側へ弾性的に付勢するように、上記ロープ部材に取り付けられている、
ことを特徴とする請求項１に記載のボーディングブリッジのトンネル部移動装置。
【請求項３】
上記第２トンネル部の底部プレートが上記第１トンネル部の底部プレートの下面に対向し、かつ上記第３トンネル部の底部プレートが上記第２トンネル部の底部プレートの下面に対向する状態でもって、上記第２トンネル部および第３トンネル部が係止されかつ移動することを特徴とする請求項１に記載のボーディングブリッジのトンネル部移動装置。
【請求項４】
上記第１ロープの一端はロープ支持部材に接続され、このロープ支持部材は、第１トンネル部の底部プレートの下部から第３トンネル部の底部プレートと水平となる位置まで下方へ延びており、また上記第１ロープの他端は、上記一端と水平となる位置において、第３トンネル部の底部プレートの上部に接続されている、ことを特徴とする請求項１に記載のボーディングブリッジのトンネル部移動装置。
【請求項５】
上記第１プーリは、第２トンネル部の底部プレートと第３トンネル部の底部プレートとの間に固定的に配置され、この第１プーリの回転の形態が、第２トンネル部および第３トンネル部の移動方向と直交する方向にある、ことを特徴とする請求項１に記載のボーディングブリッジのトンネル部移動装置。
【請求項６】
上記第１プーリは、
第２トンネル部の底部プレートの下部において周方向の突出した部分を形成するように固定的に取り付けられたベアリングベースと、
上記ベアリングベースの外周に取り付けられたベアリングと、
上記ベアリングの外周に取り付けられ、第１ロープの延びる方向に沿って回転可能な接触面を備えたローラと、
上記ベアリングを上記ベアリングベースに固定するベアリングカバーと、
を備えていることを特徴とする請求項５に記載のボーディングブリッジのトンネル部移動装置。
【請求項７】
上記第２ロープの一端は第１トンネル部の底部プレートの下部に接続されており、他端は、上記の一端とは異なる高さ位置において、第３トンネル部の底部プレートの上部に接続されている、ことを特徴とする請求項１に記載のボーディングブリッジのトンネル部移動装置。
【請求項８】
上記第２プーリは、第１トンネル部の底部プレートと第３トンネル部の底部プレートとの間において、第２トンネル部および第３トンネル部の移動方向に直交する方向から傾いた回転軸を有し、第２ロープの一端部との接触および第２トンネル部の他端部との接触が異なる高さ位置でなされることを特徴とする請求項１に記載のボーディングブリッジのトンネル部移動装置。
【請求項９】
上記第２プーリは、ベアリングベースを含み、このベアリングベースは、第２トンネル部および第３トンネル部の移動方向に直交する方向から傾いた状態で回転軸固定具に取り付けられており、この回転軸固定具は、第１トンネル部の底部プレートと第３トンネル部の底部プレートとの間において固定的に取り付けられ、かつ一対の突出部分を形成しており、
上記第２プーリは、さらに、
上記ベアリングベースの外周に取り付けられたベアリングと、
上記ベアリングの外周に取り付けられ、第２ロープの延びる方向に沿って回転可能な接触面を備えたローラと、
を備えていることを特徴とする請求項８に記載のボーディングブリッジのトンネル部移動装置。
【請求項１０】
第１ロープもしくは第２ロープを下側から保持する保持面を具備したロープホルダが、第１プーリないし第２プーリに取り付けられていることを特徴とする請求項１に記載のボーディングブリッジのトンネル部移動装置。
【請求項１１】
第１ロープもしくは第２ロープを特定の方向に案内するように、第１ロープもしくは第２ロープの延長経路に配置されたロープガイドを備えていることを特徴とする請求項１に記載のボーディングブリッジのトンネル部移動装置。
【請求項１２】
互いに接触かつ接続可能な第１トンネル部、第２トンネル部、第３トンネル部を有するトンネルを備えたボーディングブリッジのケーブルトレイであって、
上記第１トンネル部の下部において該第１トンネル部の長手方向に沿って設けられた第１トレイ部と、
上記第２トンネル部の下部において該第２トンネル部の長手方向に沿って設けられ、かつ一端部が上記第１トレイ部に支持された状態でスライド移動する第２トレイ部と、
上記第３トンネル部の下部において該第３トンネル部の長手方向に沿って設けられ、かつ一端部が上記第２トレイ部に支持された状態でスライド移動する第３トレイ部と、
上記第１トンネル部に対して湾曲し、一端が上記第１トレイ部に接続されるとともに他端が上記第２トンネル部に接続されてなる第１接続ケーブルと、
上記第３トンネル部に対して湾曲し、一端が上記第１トレイ部に接続されるとともに、他端が、上記第１接続ケーブルの一端から第３トンネル部への方向へ離れた位置において、第３トンネル部に接続されてなる第２接続ケーブルと、
を備えてなるボーディングブリッジのケーブルトレイ。
【請求項１３】
上記第１接続ケーブルおよび上記第２接続ケーブルの端部は、それぞれヒンジを介して、第１トレイ部と第２トンネル部、および、第１トレイ部と第３トンネル部に、接続されていることを特徴とする請求項１２に記載のボーディングブリッジのケーブルトレイ。
【請求項１４】
第１トレイ部と第２トレイ部との間のスライド移動が転動によってガイドされるように第１トレイ部と第２トレイ部との間に設けられた第１ガイドローラと、
第２トレイ部と第３トレイ部との間のスライド移動が転動によってガイドされるように第２トレイ部と第３トレイ部との間に設けられた第２ガイドローラと、
を備えてなる請求項１２に記載のボーディングブリッジのケーブルトレイ。
【請求項１５】
上記第１ガイドローラおよび上記第２ガイドローラの少なくとも一方は、
頂部および下部が、第１トレイ部と第２トレイ部とに、あるいは第２トレイ部と第３トレイ部とに、接した状態で回転する水平軸ローラと、
両側部が、第１トレイ部と第２トレイ部とに、あるいは第２トレイ部と第３トレイ部とに、接した状態で回転する垂直軸ローラと、
を備えることを特徴とする請求項１４に記載のボーディングブリッジのケーブルトレイ。
【発明の詳細な説明】
【技術分野】
【０００１】
この発明は、ボーディングブリッジのトンネル部を移動する装置に関する。より詳しくは、本発明は、空港ビルと飛行機との間での乗客の移動に役立つように設けられるボーディングブリッジに、複数のトンネル部からなるトンネルが接続されており、これらのトンネル部が互いに接触かつ接続可能であるものにおいて、複数のトンネル部を安定的に移動させるようにしたボーディングブリッジのトンネル部移動装置に関する。
【背景技術】
【０００２】
ボーディングブリッジは、空港ビルと飛行機との間に設けられるもので、種々の天候や外部環境に影響されることなく乗客が空港ビルから飛行機へとその内部を安全かつ便利に移動することができる。そして、ボーディングブリッジは、空港ビルと飛行機との間の距離や飛行機の出入り口ドアの位置に応じて、その長さが伸縮し、かつ向きを変更できる構造となっている。
【０００３】
一般に、ボーディングブリッジは、乗客が通る通路を構成するとともに長さを調節できるように互いに接触かつ接続できる複数のセクションからなるトンネルと、飛行機の位置に応じて上記トンネルが回転できるように回転軸として機能する円形部と、飛行機の大きさおよび出入り口ドアの位置に応じて上記トンネルを上昇・下降させるリフト支柱と、上記円形部の反対側で飛行機の出入り口ドアへ向かうようにその向きが変更可能なキャビン部と、を備えている。
【０００４】
上記のトンネル１００が互いに接触かつ接続可能な３つのセクション（以下、第１トンネル部１１０、第２トンネル部１２０、第３トンネル部１３０と記す）を有するものとすると、これらの第１トンネル部１１０、第２トンネル部１２０、第３トンネル部１３０から構成されるトンネル１００の長さは、固定位置に保たれる第１トンネル部１１０の一端に対し第２トンネル部１２０および第３トンネル部１３０が接近あるいは離間する方向へ移動することによって、調節される。
【０００５】
トンネルを伸縮させかつ方向を変更するための駆動ギアは、第３トンネル部１３０に接続された上記のリフト支柱の下部に設けられている。従って、第２トンネル部１２０は、移動に必要な付勢力を駆動ギアから直接に受けるのではなく、第３トンネル部１３０を通して間接的に付勢力を受ける。従来技術においては、第２トンネル部１２０および第３トンネル部１３０の双方を移動させるに際して、第２トンネル部１２０ないし第３トンネル部１３０の長手方向に沿って突出・後退可能な機能的構造を有する複数のフックが、第２トンネル部１２０ないし第３トンネル部１３０に設けられており、このフックの突出位置が第３トンネル部１３０の位置に応じて変化し、このフックを介して第３トンネル部１３０が第２トンネル部１２０を押すことで、第２トンネル部１２０が第１トンネル部１１０に特定の幅において接触かつ接続する。
【発明の概要】
【発明が解決しようとする課題】
【０００６】
しかしながら、上記の機能的構造においては、第２トンネル部１２０と第３トンネル部１３０とをフックで接続する際に、フックと第２トンネル部１２０もしくは第３トンネル部１３０との衝突によって騒音が発生するとともに、このフックとの衝突に起因した衝撃が第２トンネル部１２０や第３トンネル部１３０さらにはフックに作用し、装置の寿命が低下する。
【０００７】
また、上記第３トンネル部１３０が指定量だけ上記第２トンネル部１２０を押して動かそうとしたときに、第２トンネル部１２０の荷重や摩擦力が分担され、第２トンネル部１２０が指定量だけ動き得るので、上記リフト支柱および駆動ギアに過剰な荷重が作用するのみならず、上記第２トンネル部１２０および第３トンネル部１３０は速やかに動くことができない。
【０００８】
図１４は、一般的なボーディングブリッジの他の例を示している。これは、乗客が通る通路を構成するとともに長さを調節できるように互いに接触かつ接続できる複数のセクションからなるトンネル１０１０と、飛行機の位置に応じて上記トンネル１０１０が回転できるように回転軸として機能する円形部１０２０と、飛行機の大きさおよび出入り口ドアの位置に応じて上記トンネル１０１０を上昇・下降させるリフト支柱１０３０と、上記円形部１０２０の反対側で飛行機の出入り口側へ向かうようにその向きが変更可能なキャビン部１０４０と、配線ケーブルを保持するようにトンネル１０１０の底部に設けられたケーブルトレイ１０５０と、から構成されている。
【０００９】
上記トンネル１０１０は２つのセクション（以下では、第１トンネル部１０１１および第２トンネル部１０１２と呼ぶ）を有し、固定位置に保たれる第１トンネル部１０１１の一端に対し第２トンネル部１０１２が接近・離間する方向に移動するので、第１トンネル部１０１１および第２トンネル部１０１２の双方によって構成されるトンネル１０１０の全長は変化する。
【００１０】
固定位置に保たれる第１トンネル部１０１１の一端から移動可能な第２トンネル部１０１２に電力を安定的に供給可能とするために、ケーブルトレイ１０５０においては、トンネル部１０１１の底部に設けられたケーブルトレイ１０５０上に延びるケーブルと第２トンネル部１０１２に配置されたケーブルとを接続する接続ケーブルの両端部が、接近・離間を許容すべく変形可能な構成となっている。
【００１１】
図１５は、従来技術のボーディングブリッジにおけるケーブルトレイを示している。ケーブル類を連続的に案内する保持面を備えたトレイ部１０５１が第１トンネル部１０１１の底部に配置されているとともに、第１トンネル部１０１１と第２トンネル部１０１２との間の接続距離に応じて上記トレイ部１０５１に対し接続あるいは離間する第２トンネル部１０１２に複数のローラ部材１０５２が取り付けられており、かつ、第２トンネル部１０１２に対する接続ケーブル１０５３が、トレイ部１０５１と第２トンネル部１０１２との間で湾曲するように配置されている。
【００１２】
上記のような構成のケーブルトレイは、２つのセクションに分割されたトンネルでは問題なく適用することができる。しかし、３つ以上のセクションに分割されたトンネルに上記ケーブルトレイを適用する場合には、トンネルが指定された長さとなるように複数のトンネル部が互いに移動するので、上記の構成を単純に各トンネル部に適用したとすると、複数のトンネル部の往復運動に伴って複数の接続ケーブルが互いに拡がったり曲がったりし、これらケーブルの経路が重なり合い、互いに絡み合ってしまう。
【００１３】
また、このような絡み合いを回避するために、複数のトンネル部に電力を供給する配線ケーブルや接続ケーブルを、互いに独立した経路に沿って配置することは、複数の配線経路のためにケーブルトレイの構造が複雑化し、これに比例して容積や重量が増加し、材料や人員の消費が大となるばかりか、保守や調整も困難となる。
【課題を解決するための手段】
【００１４】
開示した実施例の一つの特徴は、第２トンネル部と第３トンネル部の接続状態が瞬時に変化し第２トンネル部と第３トンネル部とが衝突することによる騒音の発生を防止することで、装置の寿命を改善し、ボーディングブリッジのトンネル部の移動を許容することにある。
【００１５】
開示した実施例の他の特徴は、リフト支柱および駆動ギアに加わる荷重をさらに低減し、第３トンネル部が付勢力の伝達により第２トンネル部を移動させる際に、第２トンネル部および第３トンネル部の移動がより速くかつスムースに実現できるものとして、ボーディングブリッジのトンネル部の移動を許容することにある。
【００１６】
例示的なボーディングブリッジのトンネル部移動装置は、トンネル１００を有し、このトンネル１００は、一端から順に、第１トンネル部１１０と、第２トンネル部１２０と、第３トンネル部１３０と、からなり、上記第１トンネル部１１０を基準として上記第２トンネル部１２０および第３トンネル部１３０が互いに接触かつ接続されるように、移動することができる。この装置は、一端が上記第１トンネル部１１０に接続されるとともに他端が上記第３トンネル部１３０に接続された第１ロープ２１０と、上記第１ロープ２１０の上記他端からトンネル長の伸長方向に離れた位置において上記第２トンネル部１２０に固定的に取り付けられ、上記第１ロープ２１０が巻き掛けられるとともに、上記第１ロープ２１０の上記他端の移動変位に応じて係止されて移動する第１プーリ２２０と、上記第１ロープ２１０とは別に設けられ、一端が上記第１トンネル部１１０に接続されるとともに他端が上記第３トンネル部１３０に接続された第２ロープ２３０と、上記第２ロープ２３０の上記一端からトンネル長の縮小方向に離れた位置において上記第２トンネル部１２０に固定的に取り付けられ、上記第２ロープ２３０が巻き掛けられるとともに、上記第２ロープ２３０の上記他端の移動変位に応じて係止されて移動する第２プーリ２４０と、を含む。
【００１７】
ここで、上記第１ロープ２１０および上記第２ロープ２３０は、好ましくは、ロープ部材２１１およびばね部材２１２を含み、上記ロープ部材２１１は、延びており、かつ、第１ロープ２１０および第２ロープ２３０の両端部が第１トンネル部１１０および第３トンネル部１３０の所定位置に固定されるように、その端末部が、第１トンネル部および第３トンネル部の底部プレート１１１，１３１に取り付けたロープ支持部材２５１に設けられてなる貫通孔を通るように構成され、また上記ばね部材２１２は、上記ロープ支持部材２５１を貫通したロープ部材２１１の端末部を、ロープ部材２１１の延びる方向と反対側へ弾性的に付勢するように、上記ロープ部材２１１に取り付けられている。そして、上記第１トンネル部１１０、上記第２トンネル部１２０および上記第３トンネル部１３０においては、好ましくは、上記第２トンネル部の底部プレート１２１が上記第１トンネル部の底部プレート１１１の下面に対向し、かつ上記第３トンネル部の底部プレート１３１が上記第２トンネル部の底部プレート１２１の下面に対向する状態でもって、上記第２トンネル部１２０および第３トンネル部１３０が係止されかつ移動する。
【００１８】
また、好ましくは、上記第１ロープ２１０の一端はロープ支持部材２５１に接続され、このロープ支持部材２５１は、第１トンネル部の底部プレート１１１の下部から第３トンネル部の底部プレート１３１と水平となる位置まで下方へ延びており、また上記第１ロープ２１０の他端は、好ましくは、上記一端と水平となる位置において、第３トンネル部の底部プレート１３１の上部に接続されている。
【００１９】
そして、好ましくは、上記第１プーリ２２０は、第２トンネル部の底部プレート１２１と第３トンネル部の底部プレート１３１との間に固定的に配置され、この第１プーリの回転の形態が、第２トンネル部１２０および第３トンネル部１３０の移動方向と直交する方向にある。
【００２０】
さらに、上記第１プーリ２２０は、好ましくは、第２トンネル部の底部プレート１２１の下部において周方向の突出した部分を形成するように固定的に取り付けられたベアリングベース２２１と、上記ベアリングベース２２１の外周に取り付けられたベアリング２２２と、上記ベアリング２２２の外周に取り付けられ、第１ロープ２１０の延びる方向に沿って回転可能な接触面を備えたローラ２２３と、上記ベアリング２２４を上記ベアリングベース２２１に締付固定するベアリングカバー２２４と、を備えている。
【００２１】
そして、上記第２ロープ２３０の一端は好ましくは第１トンネル部の底部プレート１１１の下部に接続されており、他端は、好ましくは上記の一端とは異なる高さ位置において、第３トンネル部の底部プレート１３１の上部に接続されている。
【００２２】
また、好ましくは、上記第２プーリ２４０は、第１トンネル部の底部プレート１１１と第３トンネル部の底部プレート１３１との間において、第２トンネル部１２０および第３トンネル部１３０の移動方向に直交する方向から傾いた回転軸を有し、第２ロープ２３０の一端部との接触および第２ロープ部２３０の他端部との接触が異なる高さ位置でなされる。
【００２３】
そして、上記第２プーリ２４０は、好ましくは、ベアリングベース２４１を含み、このベアリングベース２４１は、第２トンネル部１２０および第３トンネル部１３０の移動方向に直交する方向から傾いた状態で回転軸固定具２５２に取り付けられており、この回転軸固定具２５２は、第１トンネル部の底部プレート１１１と第３トンネル部の底部プレート１３１との間において固定的に取り付けられ、かつ一対の突出部分を形成しており、上記第２プーリ２４０は、さらに、上記ベアリングベース２４１の外周に取り付けられたベアリング２４２と、上記ベアリング２４２の外周に取り付けられ、第２ロープ２３０の延びる方向に沿って回転可能な接触面を備えたローラ２４３と、を備えている。
【００２４】
また、好ましくは、第１ロープもしくは第２ロープを下側から保持する保持面を具備したロープホルダ２５３が、第１プーリないし第２プーリに取り付けられており、第１ロープ２１０もしくは第２ロープ２３０を特定の方向に案内するように、第１ロープ２１０もしくは第２ロープ２３０の延長経路に配置されたロープガイド２６０を備えている。
【００２５】
上記のような構成を機能的構造として有する本発明によれば、もし第３トンネル部が第１トンネル部へ向かって移動すると、第１ロープおよび第１プーリによって第２トンネル部が自然に第３トンネル部に係止され、第１トンネル部へ向かって移動し、また、もし第３トンネル部が第１トンネル部から離れる方向に移動すると、第２ロープおよび第２プーリによって第２トンネル部が自然に第３トンネル部に係止されて移動する。
【００２６】
従って、第２トンネル部と第３トンネル部は、両者の接続状態を常に保ったまま、第１ロープ，第１プーリ，第２ロープ，第２プーリによって、スムースに移動することができ、無理な接続による騒音や衝突による装置の寿命の低下を回避することができる。
【００２７】
また、第２トンネル部は、該第２トンネル部を直接に押して動かす場合に必要な力の半分に相当する付勢力で移動し得る。もし第３トンネル部が２ｘだけ移動すると、第２トンネル部は自動的にこれに係止されてｘだけ移動するので、駆動力を第３端末部へ伝達するための駆動ギアおよびリフト支柱に作用する荷重は半分に低減し、かつ第２トンネル部および第３トンネル部はより速く移動することができる。
【００２８】
従って、付勢力を第２トンネル部へ安定して伝達するような大きさの複雑な構造を有しかつ突出後退可能な複数の別のフックを備えた従来の装置に比較して、本発明の装置は小型で、第１トンネル部，第２トンネル部，第３トンネル部の中の分離スペースおよび余裕スペースに安定的に配置でき、第１ロープ，第１プーリ，第２ロープ，第２プーリを含む単純な構造によって実現できる。
【００２９】
また、第２プーリが傾斜した状態で取り付けられた構造においては、複数のプーリやローラ部材を用いることなく、第２ロープの一端側および他端側を異なる高さ位置で延長かつ配置でき、かつ、その直径を過度に小さなものとすることなく、第１トンネル部と第２トンネル部との間の分離スペースを利用して、第２ロープを空間的に効率良く配置できる。
【００３０】
例示的なボーディングブリッジ用のケーブルトレイは、単純な構造の手段によって実現でき、互いに接触かつ接続可能な３つのセクションを有するトンネルを備えたボーディングブリッジに適用した場合に、互いに絡み合うことなく独立した配線状態を保つように接続ケーブルを複数のトンネル部に延ばした状態を可能とする。
【００３１】
１つの例示のケーブルトレイは、互いに接触かつ接続可能な第１トンネル部、第２トンネル部、第３トンネル部を有するトンネルを備えたボーディングブリッジに配置される。このケーブルトレイは、上記第１トンネル部の下部において該第１トンネル部の長手方向に沿って設けられた第１トレイ部を含む。第２トレイ部は、上記第２トンネル部の下部において該第２トンネル部の長手方向に沿って設けられ、かつ一端部が上記第１トレイ部に支持された状態でスライド移動する。第３トレイ部は、上記第３トンネル部の下部において該第３トンネル部の長手方向に沿って設けられ、かつ一端部が上記第２トレイ部に支持された状態でスライド移動する。第１接続ケーブルは、上記第１トンネル部に対して湾曲し、一端が上記第１トレイ部に接続されるとともに他端が上記第２トンネル部に接続されている。第２接続ケーブルは、上記第３トンネル部に対して湾曲し、一端が上記第１トレイ部に接続されるとともに、他端が、上記第１接続ケーブルの一端から第３トンネル部への方向へ離れた位置において、第３トンネル部に接続されている。
【００３２】
１つの例では、上記第１接続ケーブルおよび上記第２接続ケーブルの一端および他端は、それぞれヒンジを介して、第１トレイ部と第２トンネル部、および、第１トレイ部と第３トンネル部に、接続されている。
【００３３】
また、第１トレイ部と第２トレイ部との間のスライド移動が転動によってガイドされるように、第１ガイドローラが、第１トレイ部と第２トレイ部との間に設けられている。第２トレイ部と第３トレイ部との間のスライド移動が転動によってガイドされるように、第２ガイドローラが、第２トレイ部と第３トレイ部との間に設けられている。
【００３４】
また、上記第１ガイドローラおよび上記第２ガイドローラの少なくとも一方は、頂部および下部が、第１トレイ部と第２トレイ部とに、あるいは第２トレイ部と第３トレイ部とに、接した状態で回転する水平軸ローラを備えていてもよい。垂直軸ローラは、両側部が、第１トレイ部と第２トレイ部とに、あるいは第２トレイ部と第３トレイ部とに、接した状態で回転する。
【００３５】
上記構成の本発明によれば、互いに接触かつ接続可能な３つのセクションを有するトンネルを備えたボーディングブリッジにこのケーブルトレイを適用した場合に、複数の可動トンネル部に電力を供給する複数の接続ケーブルが別々の位置でトレイ部に接続され、かつ互いに反対方向に湾曲した形に取り付けられる。従って、複数の可動トンネル部が同時にかつ繰り返し往復動するように移動したとしても、接続ケーブルは別々の状態を維持するので、絡み合うことなく安定した配線が維持される。
【００３６】
また、接続ケーブルの接続位置および湾曲方向が複数のトレイ部からなる１つの配線経路の中で異なっている単純な構造によって、安定したブランチ状の配線が実現されるので、各々のトンネル部へ電力供給するための独立した複数の配線経路が不要であり、ケーブルトレイの容積および負荷が最小限となる。従って、ケーブルトレイの製造および設置が容易となり、使用中の保守や調整が容易に実現できる。
【００３７】
本発明の種々の特徴および利点は、後述の詳細な説明によって当業者には明らかになるであろう。
【図面の簡単な説明】
【００３８】
【図１】本発明に係るボーディングブリッジのトンネル部移動装置の一実施例の主要部を、トンネル部に取り付けた状態で示す正面図。
【図２】図１の主要部の平面図。
【図３】図１のＺ−Ｚ線に沿った断面図。
【図４】本発明に係るボーディングブリッジのトンネル部移動装置をトンネルに取り付けた状態で示す構成説明図。
【図５】図４のものにおいて、第３トンネル部と第２トンネル部が係止して移動する作動原理を示す構成説明図。
【図６】第１トンネル部に取り付けた状態の主要部を示す正面図。
【図７】図６の主要部の平面図。
【図８】図６の主要部の側面図。
【図９】第２トンネル部に取り付けた状態の主要部を示す正面図。
【図１０】図９の主要部の平面図。
【図１１】図９の主要部の側面図。
【図１２】第１プーリの取付手順を示す正面図。
【図１３】第２プーリの取付手順を示す平面図。
【図１４】ボーディングブリッジ全体を示す正面図。
【図１５】従来のボーディングブリッジ用のケーブルトレイの主要部を示す正面図。
【図１６】本発明に係るボーディングブリッジ用のケーブルトレイの第１実施例をボーディングブリッジに取り付けた状態で示す正面図。
【図１７】第１トレイ部を示す正面図。
【図１８】第２トレイ部を示す正面図。
【図１９】本発明のボーディングブリッジ用のケーブルトレイの作動原理を示す概略図。
【図２０】図１６の端面図。
【図２１】図１６の線Ａに沿った断面図。
【図２２】図１６の線Ｂに沿った断面図。
【図２３】図１６の線Ｃに沿った断面図。
【図２４】図１６の線Ｄに沿った断面図。
【図２５】図１６の線Ｅに沿った断面図。
【発明を実施するための形態】
【００３９】
本発明に係るボーディングブリッジのトンネル部移動装置は、図１〜図３に示すように、トンネル１００を有するボーディングブリッジに設けられるものであって、トンネル１００は、第１トンネル部１１０と、第２トンネル部１２０と、第３トンネル部１３０と、を有し、上記第１トンネル部１１０を基準として上記第２トンネル部１２０および第３トンネル部１３０が互いに接触かつ接続されるように、係止でき、かつ移動することができる。この装置は、主に、第１ロープ２１０と、第１プーリ２２０と、第２ロープ２３０と、第２プーリ２４０と、によって構成されている。
【００４０】
上記第１ロープ２１０および上記第１プーリ２２０は、上記第１，第２，第３トンネル部１１０，１２０，１３０に亘って設けられた構成要素であって、上記第３トンネル部１３０が上記第１トンネル部１１０へ向かって移動するときに上記第２トンネル部１２０が第３トンネル部１３０に係止されて移動するようになっている。上記第１ロープ２１０の両端部は、上記第１トンネル部１１０および第３トンネル部１３０にそれぞれ連結されており、上記第１プーリ２２０は、上記第１ロープ２１０が巻き掛けられる形で上記第２トンネル部１２０に固定されており、その位置は、トンネル部３００の全長を拡大すべく第２，第３トンネル部１２０，１３０が移動する方向に、第１ロープ２１０の他端部から離れている。
【００４１】
上記第２ロープ２３０および上記第２プーリ２４０は、上記第１，第２，第３トンネル部１１０，１２０，１３０に亘って設けられた構成要素であって、上記第３トンネル部１３０が上記第１トンネル部１１０から離れる方向に移動するときに上記第２トンネル部１２０が第３トンネル部１３０に係止されて移動するようになっている。上記第１ロープ２１０と同様に、上記第２ロープ２３０の一端および他端は、上記第１トンネル部１１０および第３トンネル部１３０にそれぞれ連結されており、上記第２プーリ２４０は、上記第２ロープ２３０が巻き掛けられる形で上記第２トンネル部１２０に固定されており、その位置は、トンネル部３００全長を縮小すべく第２，第３トンネル部１２０，１３０が移動する方向に、第２ロープ２３０の一端から離れている。
【００４２】
図４に示す状態において、もし上記第３トンネル部１３０が図５に示すように上記第１トンネル部１１０の自由端へ向かって２ｘだけ移動したとすると、第１ロープ２１０の一端部が第１トンネル部１１０とともに通常位置に固定された状態を保つのに対し、該第１ロープ２１０の他端部が第３トンネル部１３０とともに第１トンネル部１１０の自由端へ向かって２ｘだけ引っ張られ、従って、上記第１プーリ２２０は係止され、第１トンネル部１１０の自由端へ向かって第２トンネル部１２０とともにｘだけ移動する。
【００４３】
図５に示す状態において、もし第３トンネル部１３０が図４に示す初期位置に戻るように２ｘだけ逆方向に移動したとすると、第２ロープ２３０の一端部が第１トンネル部１１０とともに通常位置に固定された状態を保つのに対し、該第２ロープ２３０の他端部が第３トンネル部１３０とともに２ｘだけ引っ張られて動き、従って、上記第２プーリ２４０は係止され、第３トンネル部１３０の自由端へ向かって第２トンネル部１２０とともにｘだけ移動する。
【００４４】
次に、第１トンネル部１１０および第３トンネル部１３０の底部プレート１１１，１１３には、第１ロープ２１０および第２ロープ２３０の両端部を第１，第３トンネル部１１０，１３０の所定位置に固定するためのロープ支持部材２５１が設けられている。また、上記第１プーリ２２０ないし第２プーリ２４０を第１トンネル部１１０の底部プレート１１１と第３トンネル部１３０の底部プレート１１３の間の所定位置に固定するために、回転シャフト支持具２５２と呼ばれる構成要素が設けられており、これは一対の分離した突起部品を有し、かつ固定されている。
【００４５】
上記第１ロープ２１０および第２ロープ２３０は、それぞれ、ロープ部材２１１とばね部材２１２とからなる。上記ロープ部材２１１は、ロープ状をなし、かつ第１トンネル部１１０から第３トンネル部１３０まで延びているとともに、その端末部が上記ロープ支持部材２５１の貫通孔２５１ａを貫通している。上記ばね部材２１２は、上記ロープ部材２１１に接続されており、ロープ支持部材２５１を貫通した上記ロープ部材２１１の端末部を、該ロープ部材２１１が延びる方向と反対方向へ向かって弾性的に付勢している。
【００４６】
上記のように、上記ばね部材２１２がロープ部材２１１の端末部を該ロープ部材２１１が延びる方向と反対方向へ向かって弾性的に付勢することにより、第１ロープ２１０および第２ロープ２３０の他端部は、ロープ支持部材２５１を介して第３トンネル部１３０の変位および力を徐々に受けることになり、同時に、ばね部材２１２が最大圧縮変位へと圧縮されていく。
【００４７】
そして、第１トンネル部１１０のロープ支持部材２５１に連結された第１ロープ２１０および第２ロープ２３０の一端が徐々に受ける力によって、ばね部材２１２が最大圧縮変位へと圧縮されつつ、第１プーリ２２０ないし第２プーリ２４０を引っ張ることになり、従って、第３トンネル部１３０が移動したときにロープ部材２１１やロープ支持部材２５１に瞬間的に過大な力が伝達されることが回避される。
【００４８】
上記第１トンネル部１１０，第２トンネル部１２０，第３トンネル部１３０が、第２トンネル部１２０の底部プレート１２１が第１トンネル部１１０の底部プレート１１１の下側に対向し、第３トンネル部１３０の底部プレート１３１が第２トンネル部１２０の底部プレート１２１の下側に対向する、という構成を有するのであれば、これら複数のトンネル部の底部プレート１１１，１２１，１３１の間に設けられる分離スペースおよび余裕スペースを最大限に利用して、第１ロープ２１０，第１プーリ２２０，第２ロープ２３０，第２プーリ２４０を配置することができる。
【００４９】
複数のトンネル部の底部プレート１１１，１２１，１３１の間に設けられる分離スペースおよび余裕スペースを利用した設置の場合、第１ロープ２１０および第２ロープ２３０の一端および他端は、それぞれ第１トンネル部１１０の底部プレート１１１および第３トンネル部１３０の底部プレート１３１に取り付けられる。しかしながら、第１プーリ２２０および第２プーリ２４０は第２トンネル部１２０の底部プレート１２１に取り付けられ、それぞれ、第３トンネル部１３０および第１トンネル部１１０に隣接している。
【００５０】
従って、第１ロープ２１０の一端は、第２，第３トンネル部１２０，１３０に接触ないし接続されない第１トンネル部１１０の一部分において底部プレート１１１の下側に生じる余裕スペースを利用して、他端の高さに応じて取り付けることが可能であるが、第２ロープ２３０の一端は、第１トンネル部１１０の底部プレート１１１と第２トンネル部１２０の底部プレート１２１との間の分離スペース内に必ず位置しなければならず、また第２ロープ２３０の他端は、必ず、第２トンネル部１２０の底部プレート１２１の下側において第３トンネル部１３０の底部プレート１３１上に取り付けなければならない。
【００５１】
次に、上記の空間的制約の中で、複数のトンネル部の底部プレート１１１，１２１，１３１の間に設けられる分離スペースおよび余裕スペースを利用した設置構造の詳細を以下に説明する。
【００５２】
図６〜図８に示すように、第１ロープ２１０の一端は、ロープ支持部材２５１に接続されており、このロープ支持部材２５１は、第１トンネル部１１０の下部において第３トンネル部１３０の底部プレート１３１と水平となる位置まで下方へ延びている。第１ロープ２１０の他端は、上記の一端と水平となる位置において、第３トンネル部１３０の底部プレート１３１の上側部分に接続されている。図９〜図１１に示すように、第１プーリ２２０は、第２トンネル部１２０の底部プレート１２１と第３トンネル部１３０の底部プレート１３１との間に固定的に配置され、第２トンネル部１２０および第３トンネル部１３０の移動方向に対し直交する方向に沿った回転中心軸を有する。
【００５３】
上記の第１の実施例においては、上記第１プーリ２２０は、ベアリングベース２２１と、ベアリング２２２と、ローラ２２３と、ベアリングカバー２２４と、を含む構成を有する。ベアリングベース２２１は、第２トンネル部１２０の底部プレート１２１の下側に固定的に取り付けられ、かつ周方向の突出した部品を形成するものであり、ベアリング２２２はこのベアリングベース２２１の外周に取り付けられる。上記ローラ２２３は、上記ベアリング２２２の外周に取り付けられ、第１ロープ２１０の延びる方向に沿って回転し得る接触面を備える。ベアリングカバー２２４は、上記ベアリング２２２を上記ベアリングベース２２１に締付固定している。
【００５４】
図１２に示すように、上記第２トンネル部１２０の底部プレート１２１に対する第１プーリ２２０の取付においては、ベアリングベース２２１が第２トンネル部１２０の底部プレート１２１の下部に固定的に取り付けられ、ローラ２２３と組み付けた状態のベアリング２２２が下側からベアリングベース２２１に挿入され、このベアリング２２２の下端を支持するようにベアリングカバー２２４がベアリングベース２２１に固定される。
【００５５】
そして、望ましくは、第１ロープ２１０を下側から保持するロープ保持面を具備したロープホルダ２５３が第２トンネル部１２０と第３トンネル部１３０との間に設けられており、第１ロープ２１０が第１プーリ２２０に密接している状態が保たれなくなった場合でも、第１ロープ２１０が第１プーリ２２０に対する接続経路および延長経路から外れて完全に戻らなくなることを防止している。
【００５６】
図６〜図８に示すように、第２ロープ２３０の一端は第１トンネル部１１０の底部プレート１１１の下部に接続され、他端は、上記の一端とは異なる高さにおいて、第３トンネル部１３０の底部プレート１３１の上部に接続されている。第２プーリ２４０は、図９〜図１１に示すように、第１トンネル部１１０の底部プレート１１１と第３トンネル部１３０の底部プレート１３１との間において、第２トンネル部１２０と第３トンネル部１３０の移動方向に直交する方向から傾いた回転中心軸を有するように、固定的に取り付けられており、第２ロープ２３０の一端との接触および他端との接触が異なる高さでなされるようになっている。
【００５７】
上記の第１の実施例においては、上記第２プーリ２４０は、ベアリングベース２４１と、ベアリング２４２と、ローラ２４３と、を含む構成を有する。ベアリングベース２４１は、第２トンネル部１２０と第３トンネル部１３０の移動方向に直交する方向に対し傾いた状態でもって回転シャフト支持具２５２に接続されており、ベアリング２４２はこのベアリングベース２４１の外周に取り付けられる。ローラ２４３は、第２ロープ２３０の延びる方向に沿って回転し得る接触面を備え、上記ベアリング２４２の外周に取り付けられている。上記第２プーリ２４０を第１トンネル部１１０の底部プレート１１１と第３トンネル部１３０の底部プレート１３１との間において上記の構造に取り付けるには、図１３に示すように、回転シャフト支持具２５２を第２トンネル部１２０の底部プレート１２１に固定し、ベアリングベース２４１を所定角度傾けて回転シャフト支持具２５２に固定し、この状態で、ベアリング２４２、ローラ２４３および第２ロープ２３０を取り付ける。
【００５８】
上記のように第２プーリ２４０が傾いた状態で固定された構成においては、複数のプーリやローラ部材を用いることなしに、第２ロープ２３０の両側を異なる高さで延ばし、かつ異なる高さで取り付けることができ、第１トンネル部１１０と第３トンネル部１３０との間の分離スペースを利用することで、第２ロープ２３０をスペース効率に優れた形で配置でき、ロープの過剰な曲げを回避し得る２５０ｍｍ以上の直径のものとすることができる。
【００５９】
第１ロープ２１０および第２ロープ２３０の延長経路には、好ましくは、図９〜図１１に示すように、第１ロープ２１０ないし第２ロープ２３０を特定の方向に案内する凹部ないし貫通孔を備えたロープガイド２６０が設けられており、上記ロープ支持部材２５１および第１，第２プーリ２２０，２４０に対応する部分以外の数カ所において第１ロープ２１０および第２ロープ２３０を支持することで、第１ロープ２１０および第２ロープ２３０が過剰に曲げられることなく異なる方向について異なる高さ位置においてガイドされるように構成されている。
【００６０】
本発明に係るボーディングブリッジのトンネル部移動装置によれば、もし第３トンネル部１３０が第１トンネル部１１０へ向かって移動すると、第１ロープ２１０および第１プーリ２２０によって、第２トンネル部１２０が自然に第３トンネル部１３０に係止されて、第１トンネル部１１０へと移動し、もし第３トンネル部１３０が第１トンネル部１１０から離れる方向へ移動すると、第２ロープ２３０および第２プーリ２４０によって、第２トンネル部１２０が第３トンネル部１３０に係止されて移動する。
【００６１】
従って、第２トンネル部１２０と第３トンネル部１３０の連結状態が、第１ロープ２１０および第１プーリ２２０と第２ロープ２３０および第２プーリ２４０とによって常に一定に保たれて変化しないまま、第２トンネル部１２０と第３トンネル部１３０は、スムースに移動することができ、従来のフック等を用いた構造における無理な接続による騒音や衝撃による衝突を回避することができる。
【００６２】
また、第１ロープ２１０および第２ロープ２３０の両側が、第１プーリ２２０および第２プーリ２４０による力を分散して支持し、第２トンネル部１２０は、該第２トンネル部１２０を直接に付勢する場合に必要な力の半分の付勢力でもって移動させることが可能である。もし第３トンネル部１３０が２ｘだけ移動したとすると、第２トンネル部１２０は自動的に第３トンネル部１３０に係止し、ｘだけ移動するので、第２トンネル部１２０および第３トンネル部１３０は、速やかに移動することができる。
【００６３】
従来のボーディングブリッジのトンネル部移動装置は、第２トンネル部１２０へ付勢力を安定的に伝えるための寸法を有し、かつ突出・後退可能な複数のフックが別に設けられているが、このような従来装置に比べて、本発明の装置は、第１ロープ２１０、第１プーリ２２０、第２ロープ２３０、第２プーリ２４０からなる単純な構造とすることで、小型に具体化でき、第１トンネル部１１０、第２トンネル部１２０、第３トンネル部１３０の間の分離スペースや余裕スペース内に安定的に配置できる。
【００６４】
図１６〜図２５には、第１トンネル部１１１０、第２トンネル部１１２０、第３トンネル部１１３０からなるトンネル１１００を備えたボーディングブリッジ用の本発明のケーブルトレイ１２００が示されている。このケーブルトレイ１２００は、第２トンネル部１１２０および第３トンネル部１１３０へ安定的に電源を供給するために、トンネル１１００の底部に設けられているもので、これら第２，第３トンネル部１１２０，１１３０は、ボーディングブリッジ内で固定位置を保つ第１トンネル部１１１０に対して移動する。このケーブルトレイ１２００は、主に、第１トレイ部１２１０と、第２トレイ部１２２０と、第３トレイ部１２３０と、第１接続ケーブル１２４０と、第２接続ケーブル１２５０と、から構成される。
【００６５】
図１６に示すように、第１トレイ部１２１０、第２トレイ部１２２０、第３トレイ部１２３０は、それぞれ、第１トンネル部１１１０、第２トンネル部１１２０、第３トンネル部１１３０の底部に設けられている。第１接続ケーブル１２４０は、第１トンネル部１１１０に対して曲がっており、その上端および下端はそれぞれ第２トンネル部１１２０および第１トレイ部１２１０に接続されている。第２接続ケーブル１２５０は、第３トンネル部１１３０に対して曲がっており、その上端および下端はそれぞれ第３トンネル部１１３０および第１トレイ部１２１０に接続されている。
【００６６】
第１トレイ部１２１０は、図１７に示すように、ケーブル類を第１，第２接続ケーブル１２４０，１２５０まで連続的にガイドする保持面を備えており、第１トンネル部１１１０の底部において第１トンネル部１１１０の長手方向に沿って配設されている。
【００６７】
図１６は、トンネル１１００に設けられた本発明のケーブルトレイを、第１トンネル部１１１０、第２トンネル部１１２０、第３トンネル部１１３０の各左端が互いに最大限に離れている状態でもって示しており、図１７は、第１トンネル部１１１０、第２トンネル部１１２０、第３トンネル部１１３０の各左端が隣接して接続されている状態でもって第１トレイ部１２１０を示している。
【００６８】
第２トレイ部１２２０は、図１８に示すように、一端が第１トレイ部１２１０に保持された状態で摺動できるように第１トレイ部１２１０に対応した形状を有し、かつ第２接続ケーブル１２５０を第３トンネル部１１３０へと連続的にガイドする保持面を備え、第２トンネル部１１２０の底部において第２トンネル部１１２０の長手方向に沿って配設されている。
【００６９】
第３トレイ部１２３０は、第３トンネル部１１３０の底部において第３トンネル部１１３０の長手方向に沿って配設され、一端が第２トレイ部１２２０に保持されたまま摺動できるようになっているが、第１，第２トレイ部１２１０，１２２０と異なり、ケーブル類もしくは接続ケーブルをガイドする機能は必要ないので、ケーブル類もしくは接続ケーブルをガイドする保持面を具備せずに、第２トレイ部１２２０の他端を安定的に保持する構造とすれば足りる。
【００７０】
本発明の第１実施例においては、第１トレイ部１２１０の一端部は、第１トンネル部１１１０の底部に下方へ延びるように設けられた接続支持手段によって第１トンネル部１１１０の所定位置に固定されており、第２トレイ部１２２０の一端部は、接続支持手段によって第２トンネル部１１２０の所定位置に固定されて、第１トレイ部１２１０の他端部の底部に接続されており、第３トレイ部１２３０は、複数の接続支持手段によって第３トンネル部１１３０に固定的に接続され、第２トレイ部１２２０の他端部の下部に接続されている。
【００７１】
従って、第１トレイ部１２１０の２つの端部は、第１トンネル部１１１０に設けられた接続支持部と第２トンネル部１１２０に設けられた接続支持部とによって支持され、第２トレイ部１２２０の２つの端部は、第２トンネル部１１２０に設けられた接続支持部と第３トレイ部１２３０に設けられた接続支持部とによって支持され、第３トレイ部１２３０は、第３トンネル部１１３０の長手方向に沿って離れて配置された複数の接続支持部によってトンネル１１００の底部の所定位置に支持されている。
【００７２】
第１接続ケーブル１２４０は、第１トレイ部１２１０に沿って延びるケーブルと第２トンネル部１１２０に設けられたケーブルとを接続するように設けられている。その下端は第１トレイ部１２１０に接続され、その上端は第２トンネル部１１２０に接続され、第１トンネル部１１１０に対して湾曲している。
【００７３】
第２接続ケーブル１２５０は、第１トレイ部１２１０に沿って延びるケーブルと第３トンネル部１１３０に設けられたケーブルとを接続するように設けられている。その下端は、第１接続ケーブル１２４０の下端から第３トンネル部１１３０の方向に離れた位置において、第１トレイ部１２１０に接続されており、また他端は、第３トンネル部１１３０に接続され、第３トンネル部１１３０に対して湾曲している。
【００７４】
第１，第２，第３トンネル部１１１０，１１２０，１１３０の端部の一方が、互いに離れている状態において、第１接続ケーブル１２４０および第２接続ケーブル１２５０は、図１９（ａ）に示すように、それぞれ、第１トンネル部１１１０および第３トンネル部１１３０に対して湾曲しており、かつ、これらの接続ケーブルは重なり合ったり交差したりしていない。第２，第３トンネル部１１２０，１１３０が第１トンネル部１１１０の一端部へと徐々に移動し、第１，第２，第３トンネル部１１１０，１１２０，１１３０の一端部が図１９（ｂ）のように互いに隣接した状態においても、これらの接続ケーブルは第１トンネル部１１１０および第３トンネル部１１３０に対し湾曲した状態を保ち、かつ、重なり合ったり交差したりしていない。
【００７５】
図１９（ａ）に示す状態および図６（ｂ）に示す状態が交互に繰り返されるとしても、第１接続ケーブル１２４０および第２接続ケーブル１２５０は、重なり合ったり交差したりしていない状態を常に維持する。望ましくは、第１，第２接続ケーブル１２４０，１２５０の上端および下端は、これらの中間部が湾曲方向を保つように特定の方向でもって接続されているとともに、角度が所定の範囲内で自由に変化できるようにヒンジを介して接続されており、湾曲部の位置や中間部の湾曲の程度に応じて、湾曲方向が変化したり、ケーブルが重なり合ったり交差したりすることがない。
【００７６】
図２０に示すように、ボーディングブリッジ用のケーブルトレイにおいては、第３トレイ部１２３０と第２トレイ部１２２０と第１トレイ部１２１０とが外側から順に入れ子状に構成されており、この入れ子状の構成において、第１トレイ部１２１０と第２トレイ部１２２０との間および第２トレイ部１２２０と第３トレイ部１２３０との間に、好ましくはローラ部材が設けられており、この転動手段によりスムースなスライド移動が実現されるようになっている。
【００７７】
図２１〜図２５は、本発明の第１実施例における第１トレイ部１２１０、第２トレイ部１２２０、第３トレイ部１２３０の断面形状の詳細およびこれらの間の接続構造を示している。本発明の第１実施例は、第１トレイ部１２１０と第２トレイ部１２２０との間に第１ガイドローラ１２６０が設けられ、第２トレイ部１２２０と第３トレイ部１２３０との間に第２ガイドローラ１２７０が設けられた構成を備えている。
【００７８】
上記第１ガイドローラ１２６０は、第１トレイ部１２１０と第２トレイ部１２２０との間のスライド運動が転動によってガイドされるように、第１トレイ部１２１０と第２トレイ部１２２０との間に配設されており、第２ガイドローラ１２７０は、第２トレイ部１２２０と第３トレイ部１２３０との間のスライド運動が転動によってガイドされるように、第２トレイ部１２２０と第３トレイ部１２３０との間に配設されている。
【００７９】
第１ガイドローラ１２６０は、水平方向に延びる回転シャフトに取り付けられており、頂部と下部が第１トレイ部１２１０および第２トレイ部１２２０に接した状態でもって転動する。第２ガイドローラ１２７０は、その頂部と下部が第２トレイ部１２２０および第３トレイ部１２３０に接した状態でもって転動する水平軸のローラ１２７１と、左右が第２トレイ部１２２０および第３トレイ部１２３０に接した状態でもって転動する垂直軸のローラ１２７２と、を含む。
【００８０】
本発明のボーディングブリッジ用のケーブルトレイ１２００によれば、可動の第２，第３トンネル部１１２０，１１３０が同時かつ繰り返し往復運動したとしても、第１，第２接続ケーブル１２４０，１２５０が互いに離れた状態を保つので、第１，第２接続ケーブル１２４０，１２５０は絡み合うことがなく、常に安定した配線状態を保つことができる。
【００８１】
また、第１，第２トレイ部１２１０，１２２０を接続するように形成される１つの配線経路において第１，第２接続ケーブル１２４０，１２５０の接続位置および湾曲方向が異なっている単純な構成によって、安定したブランチ状の配線が実現されるので、第２，第３トンネル部１１２０，１１３０の個々に電力を供給する複数の配線経路が不要であり、ケーブルトレイの保守管理、製造および設置が容易となる。
【００８２】
以上の記載は例示に過ぎず、限定のためのものではない。当業者には、本発明の範囲を逸脱することなく、開示した実施例についての変更や修正が自明である。
【図１】
2011506206.tif 000003
【図２】
2011506206.tif 000004
【図３】
2011506206.tif 000005
【図４】
2011506206.tif 000006
【図５】
2011506206.tif 000007
【図６】
2011506206.tif 000008
【図７】
2011506206.tif 000009
【図８】
2011506206.tif 000010
【図９】
2011506206.tif 000011
【図１０】
2011506206.tif 000012
【図１１】
2011506206.tif 000013
【図１２】
2011506206.tif 000014
【図１３】
2011506206.tif 000015
【図１４】
2011506206.tif 000016
【図１５】
2011506206.tif 000017
【図１６】
2011506206.tif 000018
【図１７】
2011506206.tif 000019
【図１８】
2011506206.tif 000020
【図１９】
2011506206.tif 000021
【図２０】
2011506206.tif 000022
【図２１】
2011506206.tif 000023
【図２２】
2011506206.tif 000024
【図２３】
2011506206.tif 000025
【図２４】
2011506206.tif 000026
【図２５】
2011506206.tif 000027
【国際調査報告】
2011506206.tif 000028
2011506206.tif 000029
2011506206.tif 000030
2011506206.tif 000031